【手続補正書】
【提出日】平成25年2月6日(2013.2.6)
【手続補正１】
【補正対象書類名】明細書
【補正対象項目名】００７０
【補正方法】変更
【補正の内容】
【００７０】
仮想ネットワークＡＰＩ制御部５７５は、ハンドオーバ／ユーザインタフェース制御部５３０からの命令を元に、仮想ネットワークＡＰＩ群５８５を実行する。この結果、仮想ネットワークＡＰＩ制御部５７５は、３Ｇモデム４５１と仮想ネットワークデバイス４５３の間のＩＰアドレス付け替え処理を制御する。仮想ネットワークＡＰＩ制御部５７５は、ＷｉＭＡＸネットワークアダプタ４５２と仮想ネットワークデバイス４５３の間のＩＰアドレス付け替え処理を制御する。仮想ネットワークＡＰＩ制御部５７５は、３Ｇモデム４５１と仮想ネットワークデバイス４５３の間のユーザデータ転送制御を実行する。仮想ネットワークＡＰＩ制御部５７５は、ＷｉＭＡＸネットワークアダプタ４５２と仮想ネットワークデバイス４５３の間のユーザデータ制御転送制御を行なう。
【手続補正２】
【補正対象書類名】明細書
【補正対象項目名】００７７
【補正方法】変更
【補正の内容】
【００７７】
次にＷＩＭＡＸネットワーク２００への接続処理時において、制御インタフェース５００は、ＷｉＭＡＸ機能部３３０へＷｉＭＡＸネットワークアダプタ４５２およびＷｉＭＡＸネットワークアダプタドライバ４４２を介して無線セッション確立要求を通知する。その完了報告を受信すると、次に、制御インタフェース５００は、同様にＷｉＭＡＸ機能部３３０へ同様にＥＡＰセッション確立要求を通知する。その完了報告を受信すると、制御インタフェース５００は、ＤＨＣＰ４１５を制御し、ＩＰアドレス取得処理を行なう。その完了報告を受信すると、制御インタフェース５００は、ＩＰアドレス設定処理を各ネットワークデバイスに行なう。これらの処理が正常に完了したところで、制御インタフェース５００は、ユーザインタフェース５１０上で接続完了表示をする。
＜３Ｇネットッワークで通信中のデータの流れ＞
図７は、通信アプリケーション４１０が３Ｇネットワーク１００と通信中のデータの流れを示している。図７において、仮想ネットワークデバイス４５３は、通信アプリケーション４１０からのユーザデータを、仮想ネットワークドライバ４４３に送信する。仮想ネットワークドライバ４４３は、接続中の３Ｇモデムスドライバ４４１へユーザデータの転送を行なう。これによって、３Ｇ機能部３２０を介して接続中の３Ｇネットワーク１００へユーザデータを転送することが可能となる。
【手続補正３】
【補正対象書類名】明細書
【補正対象項目名】００８５
【補正方法】変更
【補正の内容】
【００８５】
完了通知を受信すると、制御ユーザインタフェース５００は、仮想ネットワークデバイス４５３とＷｉＭＡＸネットワークアダプタ４５２にＩＰアドレス設定処理を行なう（Ｓ１１５）。正常に設定処理が完了したところで、制御ユーザインタフェース５００は、ユーザインタフェース５１０上で接続完了を表示する（Ｓ１１６）。これらによって、通信アプリケーション４１０とＷｉＭＡＸネットワーク２００とは、通信状態となる。
【手続補正４】
【補正対象書類名】明細書
【補正対象項目名】０１０３
【補正方法】変更
【補正の内容】
【０１０３】
制御ユーザインタフェース５００は、ＷｉＭＡＸネットワークアダプタドライバ４４２にＷｉＭＡＸネットワーク２００からアサインされたネットワークＩＰアドレスの内容を要求する信号を送信する（Ｓ２３８）。ＷｉＭＡＸネットワークアダプタドライバ４４２は、要求信号を受信すると、制御ユーザインタフェース５００へネットワークＩＰアドレス応答信号を送信する（Ｓ２３９）。制御ユーザインタフェース５００は、応答信号を受信すると、仮想ネットワークデバイス４４３へ、ネットワークＩＰアドレスの内容を通知する（Ｓ２４１）。制御ユーザインタフェース５００は、次にＷｉＭＡＸネットワークアダプタドライバ４４２にダミーＩＰアドレスの内容を通知する（Ｓ２４２）。制御ユーザインタフェース５００は、ＴＣＰ／ＵＤＰ／ＩＰ４３０へＷｉＭＡＸネットワークアダプタ４４２にはネットワークＩＰアドレスが、仮想ネットワークデバイスにはダミーＩＰアドレスが設定されていることを確認する（Ｓ２４３）。制御ユーザインタフェース５００は、ユーザインタフェース５１０上で接続完了を表示する（Ｓ２４４）。
【手続補正５】
【補正対象書類名】明細書
【補正対象項目名】０１１４
【補正方法】変更
【補正の内容】
【０１１４】
制御ユーザインタフェース５００は、ＷｉＭＡＸネットワークアダプタドライバ４４２にＷｉＭＡＸネットワーク２００からアサインされたネットワークＩＰアドレスの内容を要求する信号を送信する（Ｓ３０７）。ＷｉＭＡＸネットワークアダプタドライバ４４２は、要求信号を受信すると、制御ユーザインタフェース５００へ、ＷｉＭＡＸネットワーク２００からアサインされたネットワークＩＰアドレスの内容を送信する（Ｓ３０８）。制御ユーザインタフェース５００は、ＯＳ上のＴＣＰ／ＵＤＰ／ＩＰ４３０へ、仮想ネットワークデバイス４５３にネットワークＩＰアドレス設定する要求を送信する（Ｓ３０９）。ＴＣＰ／ＵＤＰ／ＩＰ４３０は、要求信号を受信すると、仮想ネットワークデバイス４５３へネットワークＩＰアドレスを設定する（Ｓ３１１）。制御ユーザインタフェース５００は、ＴＣＰ／ＵＤＰ／ＩＰ４３０へＷｉＭＡＸネットワークアダプタ４４２にはダミーＩＰアドレスが、仮想ネットワークデバイス４５３にはネットワークＩＰアドレスが設定されていることを確認する（Ｓ３１２）。制御ユーザインタフェース５００は、ユーザインタフェース５１０上で接続完了を表示する（Ｓ３１３）。
なお、システム切り替え時においては、仮想ネットワークアダプタへの一連のダミーＩＰアドレス設定は必要ないため、ステップ３０９およびステップ３１１は不要である。
【手続補正６】
【補正対象書類名】明細書
【補正対象項目名】０１１９
【補正方法】変更
【補正の内容】
【０１１９】
１００…３Ｇネットワーク、１１０…３Ｇ基地局、２００…ＷｉＭＡＸネットワーク、２１０…ＷｉＭＡＸ基地局、３００…ＷｉＭＡＸ／３Ｇ Ｈｙｂｒｉｄ通信端末、３１０…ＨＵＢ、３２０…３Ｇ機能部、３２１…３Ｇ電源管理部、３２２…３Ｇメモリ部、３２３…３Ｇ後位ＩＦ制御部、３２４…３Ｇ統括制御部、３２５…３Ｇ ＲＦモデム部、３２６…３Ｇ ＲＦバンド部、３２７…３Ｇ ＡＮＴＳ、３３０…ＷｉＭＡＸ機能部、３３１…ＷｉＭＡＸ電源管理部、３３２…ＷｉＭＡＸメモリ部、３３３…ＷｉＭＡＸ後位ＩＦ制御部、３３４…ＷｉＭＡＸ統括制御部、３３５…ＷｉＭＡＸ ＲＦモデム部、３３６…ＷｉＭＡＸ ＲＦバンド部、３３７…ＷｉＭＡＸ ＡＮＴＳ、４００…ＰＣ、４０５…ＰＰＰ、４１０…通信アプリケーション、４１５…ＤＨＣＰ、４２０…ネットワーク状態表示テーブル、４３０…ＴＣＰ／ＵＤＰ／ＩＰ部、４４０…デバイスドライバ、４４１…３Ｇモデムドライバ、４４２…ＷｉＭＡＸデバイスドライバ、４４３…仮想ネットワークデバイスドライバ、４５０…デバイスマネージャ、４５１…３Ｇモデム、４５２…ＷｉＭＡＸネットワークアダプタ、４５３…仮想ネットワークデバイス、４６０…ＵＳＢ ＩＦ部、４６５…ＣＰＵ、４７０…メモリ、４７５…表示部、４８０…ハードディスク、４８５…操作部、４９０…内部通信線、５００…システム間ハンドオーバ制御ユーザインタフェース、５１０…ユーザインタフェース、５１１…状態表示ウィンド、５１２…送受信データカウンタ、５１３…電波表示ウィンド、５１４…接続／切断ボタン、５１５…優先接続設定、５２０…ユーザインタフェースＡＰＩ群、５３０…ハンドオーバ／ユーザインタフェース制御部、５４０…３Ｇネットワーク状態監視部、５５０…ＷｉＭＡＸ ＡＰＩ群、５６０…ＷｉＭＡＸネットワーク状態監視部、５７０…３Ｇ ＡＰＩ制御部、５７５…仮想ネットワークＡＰＩ制御部、５８０…ＷｉＭＡＸ ＡＰＩ制御部、５８５…仮想ネットワークＡＰＩ制御部、５９０…３Ｇ ＡＰＩ群、１０００…無線ネットワーク。
【手続補正７】
【補正対象書類名】図面
【補正対象項目名】図３
【補正方法】変更
【補正の内容】
【図３】
2012120089.tif 000001
【手続補正８】
【補正対象書類名】図面
【補正対象項目名】図１３
【補正方法】変更
【補正の内容】
【図１３】
2012120089.tif 000002